(57)【要約】      （修正有）【課題】道路に設置される場合にも危険性を減らし、且つ、夜間の視認性がよい表示装置を提供する。【解決手段】表示装置１は、矩形枠状に形成され、内側面に長手方向に沿って挿入溝１５が設けられた枠体２と、縁部が挿入溝１５内に挿入されて保持され、透明な矩形平板状の透光板４と、所望の形状に形成され、透光板４の一方の面に貼付される表示テープ５と、挿入溝１５の底面に沿って配線され、電源と接続される電気配線と、該電気配線に所定間隔で複数設けられ、透光板４に可視光を供給するＬＥＤとを備える。【選択図】図１
0003168115.tif 000002
【実用新案登録請求の範囲】
【請求項１】
矩形枠状に形成され、内側面に長手方向に沿って挿入溝が設けられた枠体と、
縁部が前記挿入溝内に挿入されて保持される透明な矩形平板状の透光板と、
所望の形状に形成され、前記透光板の一方の面に貼付される表示テープと、
前記挿入溝の底面に沿って配線され、電源と接続される電気配線と、
該電気配線に所定間隔で複数設けられ、前記透光板に可視光を供給する光源と、
を備えることを特徴とする表示装置。
【請求項２】
前記光源はＬＥＤであることを特徴とする請求項１に記載の表示装置。
【請求項３】
前記電気配線上に設けられたスイッチの開閉を制御する制御部と、
照度を感知する照度センサと、を更に備え、
前記照度センサが所定照度以上の照度を感知すると、前記制御部は前記スイッチを開くとともに、
前記照度センサが前記所定照度未満の照度を感知すると、前記制御部は前記スイッチを閉じることを特徴とする請求項１又は請求項２に記載の表示装置。
【請求項４】
前記電気配線上に設けられたスイッチの開閉を制御する制御部を更に備え、
該制御部は所定間隔でスイッチの開閉を繰り返すことを特徴とする請求項２に記載の表示装置。
【請求項５】
前記枠体は、一対の縦材と、一対の横材と、縦材と横材とを連結する略直角に形成されたコーナー材と、を備え、
前記コーナー材は前記透光板と平行な両側面に前記電気配線を挿入可能な外溝が形成されたことを特徴とする請求項１から請求項４のいずれかに記載の表示装置。
【請求項６】
前記表示テープは少なくとも光透過性を有することを特徴とする請求項１から請求項５のいずれかに記載の表示装置。
【請求項７】
前記表示テープは蛍光テープ又は反射テープであることを特徴とする請求項１から請求項５のいずれかに記載の表示装置。
【考案の詳細な説明】
【技術分野】
【０００１】
本考案は、地面に設置する看板などの表示装置に関する。
【背景技術】
【０００２】
従来より、縦枠と横枠とで矩形に形成されたフレームの内側に例えば工事内容の案内や交通案内等を表示する立看板が知られている（例えば、特許文献１、特許文献２）。このような立看板は木製、金属製、樹脂製などがあり、表面にペンキや粘着テープ、シールなどで文字や図案を表示している。
【先行技術文献】
【特許文献】
【０００３】
【特許文献１】特開２００６−９１１０７号公報
【特許文献２】特開２００５−２７７３７号公報
【考案の概要】
【考案が解決しようとする課題】
【０００４】
ところで、上に例示した立看板は道路脇に設置される場合が多いが、この立看板により視界が遮られるため、例えば運転者から歩行者が見えなくなる場合のように、危険な場合がある。また、このような立看板は夜間は視認性が極めて低くなる問題がある。
【０００５】
そこで、本発明は、道路に設置される場合にも危険性を減らし、且つ、夜間の視認性がよい表示装置を提供することを目的とする。
【課題を解決するための手段】
【０００６】
本考案の目的を達成するために請求項１に記載の表示装置は、矩形枠状に形成され、内側面に長手方向に沿って挿入溝が設けられた枠体と、縁部が前記挿入溝内に挿入されて保持され、透明な矩形平板状の透光板と、所望の形状に形成され、前記透光板の一方の面に貼付される表示テープと、前記挿入溝の底面に沿って配線され、電源と接続される電気配線と、該電気配線に所定間隔で複数設けられ、前記透光板に可視光を供給する光源と、を備えることを特徴としている。
【０００７】
請求項２に記載の表示装置は、前記光源はＬＥＤであることを特徴としている。
【０００８】
請求項３に記載の表示装置は、前記電気配線上に設けられたスイッチの開閉を制御する制御部と、照度を感知する照度センサと、を更に備え、前記照度センサが所定照度以上の照度を感知すると、前記制御部は前記スイッチを開くとともに、前記照度センサが前記所定照度未満の照度を感知すると、前記制御部は前記スイッチを閉じることを特徴としている。
【０００９】
請求項４に記載の表示装置は、前記電気配線上に設けられたスイッチの開閉を制御する制御部を更に備え、該制御部は所定間隔でスイッチの開閉を繰り返すことを特徴としている。
【００１０】
請求項５に記載の表示装置は、前記枠体は、一対の縦材と、一対の横材と、縦材と横材とを連結する略直角に形成されたコーナー材と、を備え、前記コーナー材は前記透光板と平行な両側面に前記電気配線を挿入可能な外溝が形成されたことを特徴としている。
【００１１】
請求項６に記載の表示装置は、前記表示テープは少なくとも光透過性を有することを特徴としている。
【００１２】
請求項７に記載の表示装置は、前記表示テープは蛍光テープ又は反射テープであることを特徴としている。
【考案の効果】
【００１３】
請求項１に記載の表示装置によると、透明な矩形平板状の透光板の縁から光源が透光板に可視光を供給するので、透光板に貼付された表示テープを夜間でも視認性よく表示することができる。また、表示テープが貼付されていない背景部分は、透明であるので、この表示装置を見る者が、表示装置を透過して向こう側を視認することができ、例えば運転者が歩行者を見る妨げにならず、安全性を確保できる。
【００１４】
請求項２に記載の表示装置によると、光源がＬＥＤであるので、指向性が高く透光板内に確実に光を供給する事ができる。また、長時間発光することができるので、光源の取替えなどの手間がかからない。
【００１５】
請求項３に記載の表示装置は、所定照度以上の場合にスイッチを開いて電力の供給を止めるとともに、所定照度未満の場合にスイッチを閉じて電力を供給するので、昼間等の外光が明るいときには発光せずに節電することができ、夜間等の外光が暗いときには発光して視認性を高めることができる。
【００１６】
請求項４に記載の表示装置は、所定間隔でスイッチの開閉を繰り返すので、光源を点滅させることができ、表示装置に注意を向けさせることができる。
【００１７】
請求項５に記載の表示装置は、縦材と横材を連結するコーナー材の透光板と平行な両側面に電気配線を挿入することができる外溝が形成されるので、縦材及び横材を固定するビスとの電気配線とが干渉することを防ぐことができる。
【００１８】
請求項６に記載の表示装置は、表示テープが光透過性を有するので、表示テープ自体が発光しているように視認され、表示装置を見る者に表示内容をより確実に伝達することができる。
【００１９】
請求項７に記載の表示装置は、表示テープが蛍光テープ又は反射テープであるので、光源からの光を反射させて、より目立たせることができる。
【図面の簡単な説明】
【００２０】
【図１】本発明の表示装置の一例を示す斜視図。
【図２】（Ａ）は図１のＡ−Ａ断面図、（Ｂ）は光源としてのＬＥＤを示す正面図。
【図３】下側連結部材の外観構成を示す図。
【図４】コーナー材の外観構成を示す図。
【図５】図１のＢ−Ｂ断面図及びその一部拡大図。
【図６】コーナー材を用いて上側横材と縦材とを連結する状態を説明する斜視図。
【考案を実施するための形態】
【００２１】
以下、本考案の表示装置１の最良の実施形態について、各図を参照しつつ説明する。表示装置１は、図１及び図５に示すように矩形に形成され、その下部に脚部３が延設されるアルミニウム合金製の枠体２と、アクリル樹脂により矩形の平板状に形成された透明な透光板４と、この透光板４に貼付される樹脂で形成された表示テープ５と、枠体２の内側に配置される電気配線６と、この電気配線６により直列に配線された光源としてのＬＥＤ７と、を備えている。また、この表示装置１には、電気配線６上に設けられたスイッチの開閉を制御する制御部８１と、照度を感知する照度センサ８２と、制御部８１によるスイッチの開閉制御を操作する操作部８３が設けられたコントローラ８が設置されている。
【００２２】
枠体２は、一対の縦材９と、上側横材１０と、下側横材１１これら縦材９及び上側横材１０を連結する略直角に形成されたコーナー材１２と、を備えている。そして一対の縦材９はそれぞれ下側横材１１よりも下方まで延設されて２本の脚部３を形成している。また、一対の縦材９の中間位置にはこの縦材９に対して揺動自在にヒンジ固定されている２本の支持材１３が設けられている。この２本の支持材１３の間には一本の架設材１４が架設されており、２本の支持材１３を補強している。枠体２は、２本の脚部３及び２本の支持材１３が角度を開けて互いに支えあうように、保持されることにより地面に立設されている。
【００２３】
枠体２を構成する縦材９、上側横材１０、及び下側横材１１は、断面Ｃ字状に形成されている。この縦材９、上側横材１０、及び下側横材１１は、例えばアルミニウム合金の角パイプの１面に内部の空洞に貫通する挿入溝１５を形成することにより製造することができる。上側横材１０の両端は上側が尖る４５度の傾斜が設けられており、また、一対の縦材９の上端は、外側が尖るように４５度の傾斜が設けられている。これにより、上側横材１０の端部と一対の縦材９の上端とを互いに突合せて、その端面同士を相互に当接させたときに、略直角を形成する。この上側横材１０の端部及び一対の縦材９の上端の内部には、図５及び図６に示すように、直角に形成されたコーナー材１２が挿入されている。また、下側横材１１の端部には、それぞれ図３及び図５に示すように、直方体状に形成された下側連結部材２０が設けられており、下側横材１１と一対の縦材９とを連結している。
【００２４】
コーナー材１２は例えばアルミニウム合金などの金属で形成されており、図４に示すように、内側には透光板４の端部を挿入可能なコーナー溝１６が設けられ、両側面にはそれぞれ電気配線６を挿入可能な外溝１７がコーナー材１２に沿って直角に形成されている。また、このコーナー材１２には、ビス１８を固定することができるビス孔１９が外側に向かって開口している。下側連結部材２０は、図３に示すように、上面に透光板４の下端部を挿入可能な載置溝２１が形成されており、両側面には、それぞれ電気配線６を挿入可能な側溝２２が直線状に形成されている。また、この下側連結部材２０の一方の端面には、ビス１８を固定することができるビス孔１９が形成されている。
【００２５】
透光板４は、アクリル樹脂により形成された矩形の平板であり、一方側から透光板４を見る者は、この透光板４を透過して、他方側の状況を視認することができるものである。なお、本実施形態においては透光板４として、アクリル樹脂製のものを例示するが、これに限定されるものではなく、ポリカーボネートなどの他の透明樹脂や強化ガラス等、可視光を透過できる性質の種々の材料を用いることができる。この透光板４に貼付される表示テープ５は、例えば光を乱反射させる性質を有する蛍光テープや光の一部を透過する電飾用テープを用いることができる。このような蛍光テープや電飾用テープを用いることで、より表示装置の表示を目立たせることができるものであるが、これに限定されるものではなく、光を当てたときに視認できる種々のテープを用いることができる。また、この表示テープ５の形状は、例えば「工事中」などの文字でもよいし、キャラクタや状態を表わす絵や模様であっても良く、表示したい情報に応じて選択することができる。
【００２６】
電気配線６は図２（Ａ）（Ｂ）に示すように、導電性及び可撓性を有する扁平な基板であって、扁平なＬＥＤ７をこの電気配線６上に直列に配線している。この電気配線６は、図２（Ａ）に示すように、枠体２内部に挿入されており、ＬＥＤ７が透光板４の端部に向かって発光するように配置されている。電気配線６には図示しないが複数箇所にコネクタが設置されており、電気配線６の脱着を可能にしている。また、この電気配線６には、図示しないが配線を接続する閉状態と、配線を切断する開状態とに切替可能なスイッチが形成されており、図１に示すようにコントローラ８により制御されている。このコントローラ８には、外部からの入力を受け付ける操作部８３とスイッチの開閉を制御する制御部８１と外部の光を検知する照度センサ８２とが内包されている。操作部８３は、例えば、「切」「点灯」「点滅」「照度センサ」を選択可能な構成であり、制御部８１はこの操作部８３が「切」の場合にスイッチを開状態に制御し、操作部８３が「点灯」の場合にスイッチを閉状態に制御し、操作部８３が「点滅」の場合に例えば１秒毎にスイッチの開閉制御を繰り返す。また、制御部８１は操作部８３が「照度センサ」を選択している場合に、照度センサ８２が予め定めた所定照度以上の照度を感知したと判断するとスイッチを開状態に制御し、照度センサ８２が所定照度未満の照度を感知したと判断すると、制御部８１はスイッチを閉状態に制御する。
【００２７】
枠体２を形成するときには、まず、図５（Ｂ）に示すように、下側横材１１の両端に下側連結部材２０を挿入するとともに、下側連結部材２０の外側の端面を一対の縦材９にそれぞれ突き合わせて、下側横材１１の下面から下側連結部材２０の下面に形成されたビス孔１９に向かってビス１８を締結するとともに、縦材９の外側面から下側連結部材２０の端面に形成されたビス孔１９に向かってビス１８を締結する。このとき、ＬＥＤ７が直列配線された電気配線６が縦材９及び下側横材１１の挿入溝１５から内部に挿入されている。そして、透光板４をその縁部が挿入溝１５内をスライドするように挿入する。これにより透光板４の下端の両隅は、下側連結部材２０の載置溝２１に挿入されて載置されることになり、この下側連結部材２０がスペーサとなって透光板４の下端面と下側横材１１とが離間し、ＬＥＤ７及び電気配線６が挿入される空間を作っている。
【００２８】
そして、次に図５及び図６に示すように、コーナー材１２の両側面に形成されているコーナー溝１６に電気配線６のコードを挿入する。そして、このコーナー材１２の一端側を上側横材１０の端部にそれぞれ挿入するとともに、コーナー材１２の他端側を一対の縦材９の上端にそれぞれ挿入する。その後、図５Ａに示すように、縦材９及び上側横材１０の外側からコーナー材１２のビス孔１９にビス１８を締結してコーナー材１２と縦材９及び上側横材１０とを固定する。電気配線６はコーナー材１２の両側面に形成されるコーナー溝１６に挿入されて保持されているので、ビス孔１９に締結されるビス１８と干渉する虞がなく、断線を防止しつつ枠体２を形成することができる。
【００２９】
以上のように形成した表示装置１は、操作部８３を「点灯」に操作して、制御部８１によりスイッチを閉状態に制御することで、ＬＥＤ７を点灯することができ、透光板４の縁から可視光を供給するので、透光板４に貼付された表示テープ５を夜間でも視認性よく表示することができる。また、表示テープ５が貼付されていない背景部分は、透明であるので、この表示装置１を見る者が、表示装置１を透過して向こう側を視認することができ、例えば運転者が歩行者を見る妨げにならず、安全性を確保できる。さらに、この光源がＬＥＤ７であることにより、指向性が高く透光板４内に確実に光を供給する事ができる。また、長時間故障することなく発光することができるので、光源の取替えなどの手間がかからない。
【００３０】
そして、操作部８３を「照度センサ」に操作すると、照度センサ８２により所定照度以上の照度が検知された場合には、制御部８１がスイッチを開状態に制御することで電力の供給を止めるので昼間などの外光が明るい時には発光せずに節電することができ、照度センサ８２により所定照度未満の照度が検知された場合には、制御部８１がスイッチを閉状態に制御することで電力を供給して、夜間等の外光が暗いときにＬＥＤ７を発光させて視認性を高めることができる。
【００３１】
また、操作部８３を「点滅」に操作すると、制御部８１が例えば１秒間隔ででスイッチの開閉を繰り返すので、ＬＥＤ７を点滅させることができ、表示装置１により注意を向けさせることができる。
【００３２】
なお、本考案の実施の形態は上述の形態に限ることなく、本考案の思想の範囲を逸脱しない範囲で適宜変更することができることは云うまでもない。
【産業上の利用可能性】
【００３３】
本考案に係る表示装置１は、例えば工事現場などで使用される案内用看板として好適に用いることができる。
【符号の説明】
【００３４】
１      表示装置
２      枠体
４      透光板
５      表示テープ
６      電気配線
７      ＬＥＤ（光源）
８１    制御部
８２    照度センサ
９      縦材
１０    上側横材
１１    下側横材
１２    コーナー材
１５    挿入溝
１６    コーナー溝
１７    外溝
【図１】
0003168115.tif 000003
【図２】
0003168115.tif 000004
【図３】
0003168115.tif 000005
【図４】
0003168115.tif 000006
【図５】
0003168115.tif 000007
【図６】
0003168115.tif 000008